(57)【特許請求の範囲】
【請求項１】
アダプタに対して光コネクタプラグをその操作部に脱着可能に装着した引抜タブによって係脱するものとした光コネクタプラグの引抜タブにおいて、
前記引抜タブは、前記光コネクタプラグの操作部に装着するためのタブ先端に設けた掛止め機構と、光ファイバテープ心線を把持するためにタブの最後端に設けた支持部とを備え、
前記掛止め機構は、ＭＰＯ型のプッシュプル方式による光コネクタプラグの操作部を構成するカップリングへ側方から装着するためにタブ先端に設けた横向きコ字状枠からなり、前記支持部は、タブ後方の片側から縦向きに延設された平板状の把持部側面の最後端に横向きに突設された断面略紡錘形状の後部突起および前記把持部側面の略中間に横向きに突設された断面略楕円形状の中間突起からなるものであって、
前記掛止め機構の横向きコ字状枠に前記カップリングが装着された光コネクタプラグの後部から突出する光ファイバテープ心線を、前記支持部の把持部側面に突設された中間突起および後端突起の順に上下交互に引掛けてスライド自在に把持できるように構成したことを特徴とする光コネクタプラグの引抜タブ。
【発明の詳細な説明】
【技術分野】
【０００１】
本発明は、光ファイバを接続するときに用いられる光コネクタプラグに係り、アダプタに対する装着および抜脱の操作性を向上させるために使用される光コネクタプラグの引抜タブに関する。
【背景技術】
【０００２】
従来、この種の光コネクタプラグは、そのプラグハウジングの外周面に、アダプタとの係合およびその解除を行うためのラッチが一体的に設けられている。このラッチは、プラグハウジングの先端部から後端部に向かって徐々にプラグハウジング外表面から離れるように傾斜して延設されている。この光コネクタプラグがアダプタに装着されている場合、当該アダプタの後端にラッチが僅かに突出する。そして、アダプタから光コネクタプラグを抜脱する際には、このラッチを指先で直接押し下げて係合を解除する。
【０００３】
また、この種の光コネクタプラグは、その本体フレーム側に、ラッチの後端部に係合させたラッチ解除部材を別個に設け、このラッチ解除部材を介して間接的にラッチを押し下げてアダプタに対する係合を解除するタイプもある。
【０００４】
例えば、特許文献１に開示されているように、プラグ本体の両側面における前側に設けた一方のストッパおよび後側に所定の間隔を置いて設けた他方のストッパの両ストッパによってプラグ本体の軸方向の規制範囲に移動可能に装着されたラッチ解除部材としてのスライダを備え、アダプタからの抜脱時にスライダを抜脱方向に移動させることでスライダのテーパ面で解除レバーの解除片を押し下げ、係止片とアダプタの係合が解除され、スライダがアダプタから抜脱されると同時に解除レバーの弾性力によりプラグ本体および解除レバーは初期位置に復帰するものとし、該スライダの後方端の少なくとも上下いずれかには、操作時に把持するための操作部を備えるとともに、このスライダの操作部には、当該スライダを後方の光コード側で操作可能とする引抜タブが着脱可能に装着され、さらに引抜タブの下面略中央に光コードを把持するためのＣリング状のフックが形成されてなるプッシュプルタイプの光コネクタプラグの引抜タブが存在する。
【０００５】
また、特許文献２に開示されているように、光コネクタプラグを保持するハウジング内に軸方向移動自在に設けられたラッチ解除部材を具備し、ハウジングをアダプタ側に移動することにより光コネクタプラグをアダプタに挿入してラッチをアダプタに係合することができ、一方、ハウジングを逆方向に移動することにより、ラッチ解除部材がハウジングに対して前方側に相対移動してラッチの後端部を押圧してアダプタとの係合を解除できるものとしたプッシュプルタイプの光コネクタ組立体なる技術が存在する。
【０００６】
ところで、従来においては、ＳＭ型光ファイバ単心線を一括低損失接続するための高密度多心ケーブルの開発に伴い、高密度で能率良く光ファイバを接続できる多心一括コネクタが使用されている。この接続方式は多心の光ファイバを位置決め固定したフェルール同士を２本のガイドピンで位置合わせして嵌合する方式で、このコネクタは光ファイバテープ心線の一括接続に加え、機械的な高速切り替えにも適用できることからＭＴコネクタと呼ばれ、近年、アクセス系多心ケーブルの４心、８心、１２心光ファイバテープ接続用コネクタとして実用化されている。
【０００７】
一方、近年においては、超多心ケーブルの接続用にさらに多心の２４心、７２心一括コネクタとしてプッシュプル操作で容易に着脱できるようにしたＭＰＯ型光コネクタも実用化されている。
【先行技術文献】
【特許文献】
【０００８】
【特許文献１】特許第５１５４９８５号公報
【特許文献２】特開２００１−１４１９６１号公報
【発明の概要】
【発明が解決しようとする課題】
【０００９】
しかしながら、上記したＭＰＯ型光コネクタや特許文献２で示した所謂プッシュプルタイプの光コネクタプラグにおいては、上記した特許文献１の引抜タブが装着されたパッチコード（継ぎはぎコード）になり、光コネクタの高密度実装におけるように多くの本数を束ねた場合、引抜タブと光ファイバコードまたは光ファイバテープ心線との間に、隣接する他の光コネクタプラグの引抜タブが入り込んで絡まる現象が生じて扱い難くなるという問題がある。
【００１０】
従来、このような問題を解消するために、特許文献１に示すようにフック部材を用いた技術が提示されている。しかし、本技術では、図３に示すように、引抜タブ１０１Ａの下面略中央にＣリング状のフック１０２Ａが形成されていることから、光コネクタプラグ１００Ａに引抜タブ１０１Ａが装着されて、このフック１０２Ａ後方における引抜タブ１０１Ａの後端部と光ファイバコード１０３Ａとの隙間に、隣接する他の光コネクタプラグ１００Ｂの下面略中央に形成されたフック１０２Ｂの後方における引抜タブ１０１Ｂの後端部側が簡単に入り込んで絡まるという現象が生じてしまうことが多々あった。
【００１１】
そこで、本発明は、叙上のような従来存した諸事情に鑑み案出されたもので、引抜タブの最後端に光ファイバテープ心線を把持する構造を設けることで、引抜タブと光ファイバテープ心線との間に、隣接する他の引抜タブが簡単に入り込まないようにするＭＰＯ型の光コネクタプラグの引抜タブを提供することを目的とする。
【課題を解決するための手段】
【００１２】
上述した課題を解決するために、本発明にあっては、アダプタに対して光コネクタプラグをその操作部に脱着可能に装着した引抜タブによって係脱するものとした光コネクタプラグの引抜タブにおいて、
前記引抜タブは、前記光コネクタプラグの操作部に装着するためのタブ先端に設けた掛止め機構と、光ファイバテープ心線を把持するためにタブの最後端に設けた支持部とを備え、
前記掛止め機構は、ＭＰＯ型のプッシュプル方式による光コネクタプラグの操作部を構成するカップリングへ側方から装着するためにタブ先端に設けた横向きコ字状枠からなり、前記支持部は、タブ後方の片側から縦向きに延設された平板状の把持部側面の最後端に横向きに突設された断面略紡錘形状の後部突起および前記把持部側面の略中間に横向きに突設された断面略楕円形状の中間突起からなるものであって、
前記掛止め機構の横向きコ字状枠に前記カップリングが装着された光コネクタプラグの後部から突出する光ファイバテープ心線を、前記支持部の把持部側面に突設された中間突起および後端突起の順に上下交互に引掛けてスライド自在に把持できるように構成したことを特徴とする。
【発明の効果】
【００１３】
本発明によれば、引抜タブの最後端に光ファイバテープ心線を把持する構造を設けることで、引抜タブと光ファイバテープ心線との間に、隣接する他の引抜タブが簡単に入り込まないようにすることができる。
【００１４】
すなわち、本発明にあっては、アダプタに対して光コネクタプラグをその操作部に脱着可能に装着した引抜タブによって係脱するものとした光コネクタプラグの引抜タブにおいて、
前記引抜タブは、前記光コネクタプラグの操作部に装着するためのタブ先端に設けた掛止め機構と、光ファイバテープ心線を把持するためにタブの最後端に設けた支持部とを備えてなるので、引抜タブの後端で光ファイバテープ心線を把持している支持部によって、引抜タブと光ファイバテープ心線との間への、隣接する他の引抜タブの侵入による絡まりを未然に阻止することができる。
【００１５】
前記掛止め機構は、ＭＰＯ型のプッシュプル方式による光コネクタプラグの操作部を構成するカップリングに側方から装着するためにタブ先端に設けた横向きコ字状枠と、タブ後方に延設された把持部の側面最後端において横向きに突設された後部突起及び把持部の側面中間において横向きに突設された中間突起の相互によって光ファイバテープ心線を上下交互に引掛けてスライド自在となって把持可能とした支持部とを備えてなるので、引抜タブの後端で光ファイバテープ心線を把持している支持部によって、引抜タブと光ファイバテープ心線との間への、隣接する引抜タブの侵入による絡まりを未然に阻止することができる。また、ＭＰＯ型のプッシュプル方式による光コネクタプラグのカップリングおよび光ファイバテープ心線への引抜タブの着脱が容易に行える。
【図面の簡単な説明】
【００１６】
【図１】本発明を実施するための一形態における引抜タブをＭＰＯ型の光コネクタプラグに使用した一例を示し、（ａ）は引抜タブの斜視図、（ｂ）は光コネクタプラグの斜視図である。
【図２】同じく引抜タブをＭＰＯ型の光コネクタプラグに使用した一例を示し、（ａ）は引抜タブを操作部に装着した状態の斜視図、（ｂ）は光ファイバテープ心線を支持部に装着した状態の斜視図である。
【図３】従来例における引抜タブ同士の絡まり状態を示す斜視図である。
【発明を実施するための形態】
【００１７】
以下、図面を参照して本発明に係るＭＰＯ型の光コネクタプラグの引抜タブの実施の一形態を詳細に説明する。
【００１８】
ＭＰＯ型の光コネクタプラグを構成するプラグ本体１は、図１（ｂ）に示すように、スリーブ状のハウジング２の先端（前端）に、光ファイバテープ心線ＦＴ先端に取り付けられたフェルール３を収納している。このハウジング２内には、前記フェルール３をプラグ本体１前側へ弾性付勢するスプリング（図示せず）を具備している。また、このハウジング２に外挿して該ハウジング２に対してその軸線方向に確保した可動範囲でスライド移動可能に設けられた前記光コネクタプラグのプラグ本体１抜脱用の操作部６としての筒状のカップリング４と、前記ハウジング２の前記フェルール３が設けられている前端とは反対の後端部に取り付けられたブーツ５とを有する。
【００１９】
前記プラグ本体１のアダプタ（不図示）に対する挿入は、当該プラグ本体１における前記カップリング４から後側に位置する部分、例えばハウジング２を作業者が手指でアダプタに向かって押圧して行う。また、前記プラグ本体１のアダプタからの抜脱は、前記ハウジング４側に前記操作部６、すなわち前記カップリング４を引き込むことで行う。
【００２０】
図１（ａ）、図２（ａ）、図２（ｂ）に示すように、前記操作部６として用いられるカップリング４には、当該カップリング４を後方の光ファイバテープ心線ＦＴ側で操作可能とする引抜タブ７が着脱可能に装着される。
【００２１】
この引抜タブ７は、前記光コネクタプラグのプラグ本体１のカップリング４に装着するためのタブ先端に設けた掛止め機構８と、前記光ファイバテープ心線ＦＴを把持するためにタブ後端に設けた支持部９とを備えている。
【００２２】
前記掛止め機構８は、ＭＰＯ型のプッシュプル方式による光コネクタプラグの操作部６を構成する前記カップリング４へ側方から装着するタブ先端に設けた横向きコ字状枠８ａからなる。
【００２３】
前記支持部９は、タブ後方の片側から縦向きに延設された平板状の把持部１０側面の最後端に横向きに突設された断面略紡錘形状の後部突起９ａおよび前記把持部１０の側面の略中間に前記後部突起９ａ同様、横向きに突設された断面略楕円形状の中間突起９ｂからなる。
【００２４】
こうして、前記引抜タブ７は、前記掛止め機構８の横向きコ字状枠８ａに操作部６としてのカップリング４が装着された光コネクタ本体１のブーツ５後端から突出する光ファイバテープ心線ＦＴを、前記把持部１０の側面に突設された前記支持部９を構成する断面略楕円形状の中間突起９ｂおよび断面略紡錘形状の後部突起９ａの順に上下交互に引掛けてスライド自在に把持できるように構成される。
【００２５】
これにより、前記光コネクタプラグのプラグ本体１をアダプタから抜脱する際には、前記引抜タブ７の光ファイバテープ心線ＦＴ側に位置する把持部１０を指先でもって抜脱方向に移動させることで前記操作部６としてのカップリング４は連動して同じ抜脱方向に移動され、アダプタから前記プラグ本体１が離脱する。
以上、説明したように本願発明では、引抜タブ７と光ファイバテープ心線ＦＴとの間への、隣接する他の引抜タブ７の侵入による絡まりを未然に阻止することができる。
【符号の説明】
【００２６】
ＦＴ  光ファイバテープ心線
１    プラグ本体
２    ハウジング
３    フェルール
４    カップリング
５    ブーツ
６    操作部
７    引抜タブ
８    掛止め機構
８ａ  コ字状枠
９    支持部
９ａ  後部突起
９ｂ  中間突起
１０  把持部
【図１】
0006868989.tif 000002
【図２】
0006868989.tif 000003
【図３】
0006868989.tif 000004